(57)【要約】  セル情報の取得および報告のための方法、装置、およびシステムが開示される。１つの方法は、以下を有する：構成情報および同期ブロックに対する要求を受信するステップ；前記同期ブロックが前記構成情報に関連付けられていないと判断するステップ；前記要求に応答して失敗通知を送信するステップ。別の方法は以下を有する：構成情報および第１同期ブロックに対する要求を受信するステップ；前記第１同期ブロックが前記構成情報に関連付けられていないこと、前記第１同期ブロックが前記構成情報に関連付けられた第２同期ブロックに関連する情報を含むことを決定するステップ；前記構成情報を取得するために無線周波数再同調動作を実行することができるかどうかを決定するステップ。【選択図】図１
2021513256.tif 000002
【特許請求の範囲】
【請求項１】
無線装置において実装される無線通信のための方法であって、
構成情報に対する要求を受信するステップ；
同期ブロックを受信するステップ；
前記同期ブロックが前記構成情報に関連付けられていないと判断するステップ；
前記構成情報の要求に応答して障害通知を送信するステップ；
を有する方法。
【請求項２】
前記同期ブロックは、ＳＳＢ（同期信号／物理ブロードキャストチャネルブロック）である
ことを特徴とする請求項１記載の方法。
【請求項３】
前記決定するステップは、
前記同期ブロックの一部は、前記無線装置が前記構成情報を取得できるようにするスケジューリング情報を除くと判断するステップ；
を有する、
請求項１記載の方法。
【請求項４】
前記失敗通知は、明示的な１ビット通知である、請求項１記載の方法。
【請求項５】
前記失敗通知は、前記構成情報に関連付けられていない前記同期ブロックに対応する値を含む、
請求項１記載の方法。
【請求項６】
前記方法はさらに、
前記要求の受信に応答してタイマを開始するステップであって、前記失敗通知を送信するステップは、前記タイマの満了に続いて実施される、ステップ；
を有する、
請求項１から５のいずれか１項記載の方法。
【請求項７】
前記構成情報の要求はサービス提供セルから受信され、前記構成情報はターゲットセルに関連付けられる、
請求項１から６のいずれか１項記載の方法。
【請求項８】
前記サービス提供セルはＮＲ（Ｎｅｗ  Ｒａｄｉｏ）セルであり、前記ターゲットセルはＮＲセルである、
請求項７記載の方法。
【請求項９】
前記サービス提供セルはＬＴＥ（Ｌｏｎｇ  Ｔｅｒｍ  Ｅｖｏｌｕｔｉｏｎ）セルであり、前記ターゲットセルはＮＲ（Ｎｅｗ  Ｒａｄｉｏ）セルである、
請求項７記載の方法。
【請求項１０】
無線装置において実装される無線通信のための方法であって、
構成情報に対する要求を受信するステップ；
第１同期ブロックを受信するステップ；
（ａ）前記第１同期ブロックが前記構成情報に関連付けられていないこと、および（ｂ）前記第１同期ブロックが、前記構成情報に関連付けられた第２同期ブロックに関連する情報を含むこと、を決定するステップ；
前記構成情報を取得するために無線周波数再同調動作を実行することができるかどうかを決定するステップ；
を有する方法。
【請求項１１】
前記方法はさらに、
前記無線周波数再同調動作を実行できないと判定するステップ；
前記構成情報の要求に応答して失敗通知を送信するステップ；
を有する、
請求項１０記載の方法。
【請求項１２】
前記失敗通知は、明示的な１ビット通知である、請求項１１記載の方法。
【請求項１３】
前記失敗通知は、前記構成情報に関連付けられていない前記第１同期ブロックに対応する値を含む、
請求項１１記載の方法。
【請求項１４】
前記方法はさらに、
前記要求の受信に応答してタイマを開始するステップであって、前記失敗通知を送信するステップは、前記タイマの満了に続いて実施される、ステップ；
を有する、
請求項１１から１３のいずれか１項記載の方法。
【請求項１５】
前記方法はさらに、
前記無線周波数再同調動作が実行可能であることを決定するステップ；
前記第２同期ブロックに関連付けられた周波数への再同調に基づいて前記構成情報を受信するステップ；
前記構成情報の要求に応答して前記構成情報をサービス提供セルに対して送信するステップ；
を有する、
請求項１０記載の方法。
【請求項１６】
前記方法はさらに、
前記構成情報の要求に応答して、前記第２同期ブロックに関連する情報をサービス提供セルに対して送信するステップ；
を有する、
請求項１０または１５記載の方法。
【請求項１７】
前記第２同期ブロックに関連する前記情報は、
周波数情報、時間ドメイン期間、時間ドメインオフセット、時間ドメイン送信ビットマップ、
のうちの１つ以上を含む、
請求項１６記載の方法。
【請求項１８】
前記構成情報の要求はサービス提供セルから受信され、前記構成情報はターゲットセルに関連付けられる、
請求項１０記載の方法。
【請求項１９】
前記サービス提供セルはＮＲ（Ｎｅｗ  Ｒａｄｉｏ）セルであり、前記ターゲットセルはＮＲセルである、
請求項１８記載の方法。
【請求項２０】
前記サービス提供セルはＬＴＥ（Ｌｏｎｇ  Ｔｅｒｍ  Ｅｖｏｌｕｔｉｏｎ）セルであり、前記ターゲットセルはＮＲ（Ｎｅｗ  Ｒａｄｉｏ）セルである、
請求項１８記載の方法。
【請求項２１】
無線装置において実装される無線通信のための方法であって、
（ａ）ターゲットセルのセル情報、（ｂ）サービス提供セルと前記ターゲットセルとの間のタイミング差情報、に対する要求を受信するステップ；
前記要求が前記ターゲットセルの識別情報を含むかどうかを判定するステップ；
を有する方法。
【請求項２２】
前記識別情報は、ＳＳＢ（同期信号／物理ブロードキャストチャネルブロック）測定タイミング構成（ＳＭＴＣ）情報を含む、
請求項２１記載の方法。
【請求項２３】
前記ＳＭＴＣ情報はウィンドウ情報を含み、
前記ウィンドウ情報は、時間ドメイン期間、時間ドメインオフセット、または時間ドメイン持続時間を含む、
請求項２２記載の方法。
【請求項２４】
前記方法はさらに、
前記要求が前記識別情報を含むと判定したことに応答して、前記識別情報に基づいて前記ターゲットセルを探索するステップ；
を有する、
請求項２１または２３記載の方法。
【請求項２５】
前記方法はさらに、
前記要求が前記識別情報を除くと判定したことに応答して、前記ターゲットセルのブラインドサーチを実行するステップ；
を有する、
請求項２１または２３記載の方法。
【請求項２６】
前記方法はさらに、
前記セル情報および前記タイミング差情報を取得成功するステップ；
前記セル情報および前記タイミング差情報を含む測定レポートを前記サービス提供セルに対して送信するステップ；
を有する、
請求項２１から２５のいずれか１項記載の方法。
【請求項２７】
前記方法はさらに、
前記セル情報のみを取得成功するステップ；
前記セル情報を含む測定レポートを前記ターゲットセルに対して送信するステップ；
を有する、
請求項２１から２５のいずれか１項記載の方法。
【請求項２８】
前記方法はさらに、
前記タイミング差分情報のみを取得成功するステップ；
を有する、
請求項２１から２５のいずれか１項記載の方法。
【請求項２９】
前記方法はさらに、
前記タイミング差情報を含む測定レポートを送信するステップ；
を有する、
請求項２８記載の方法。
【請求項３０】
前記方法はさらに、
前記セル情報および前記タイミング差情報を除く測定レポートを送信するステップ；
を有する、
請求項２８記載の方法。
【請求項３１】
前記タイミング差情報は、
システムフレーム番号（ＳＦＮ）オフセット、フレーム境界オフセット、前記サービス提供セルと前記ターゲットセルとの間のサブフレーム境界オフセット、
のうちの１つ以上を含む、
請求項２１から３０のいずれか１項記載の方法。
【請求項３２】
前記サービス提供セルはＮＲ（Ｎｅｗ  Ｒａｄｉｏ）セルであり、前記ターゲットセルはＮＲセルである、
請求項２１から３１のいずれか１項記載の方法。
【請求項３３】
前記サービス提供セルはＬＴＥ（Ｌｏｎｇ  Ｔｅｒｍ  Ｅｖｏｌｕｔｉｏｎ）セルであり、前記ターゲットセルはＮＲ（Ｎｅｗ  Ｒａｄｉｏ）セルである、
請求項２１から３１のいずれか１項記載の方法。
【請求項３４】
サービスセル内のネットワークノードにおいて実装される無線通信のための方法であって、
前記サービス提供セルとターゲットセルとの間のタイミング差情報を受信するステップ；
前記タイミング差情報に基づいてタイミング構成情報を調整するステップ；
前記調整後に前記タイミング構成情報を送信するステップ；
を有する方法。
【請求項３５】
前記タイミング構成情報は、ＳＳＢ（同期信号／物理ブロードキャストチャネルブロック）測定タイミング構成情報を含む、
請求項３４記載の方法。
【請求項３６】
前記ＳＳＢ測定タイミング構成情報は、ウィンドウ情報を含み、
前記ウィンドウ情報は、時間ドメイン期間、時間ドメインオフセット、または時間ドメイン持続時間を含み、
前記タイミング構成情報を調整するステップは、前記時間ドメイン期間、前記時間ドメインオフセット、前記時間ドメイン持続時間のうちの１つ以上を調整するステップを含む、
請求項３５記載の方法。
【請求項３７】
前記調整される前記タイミング構成情報は、前記ターゲットセルの周波数に関連付けられる、
請求項３４から３６のいずれか１項記載の方法。
【請求項３８】
前記タイミング構成情報は、前記ターゲットセルのチャネル状態情報基準信号（ＣＳＩ−ＲＳ）のタイミング構成情報を有する、
請求項３４記載の方法。
【請求項３９】
前記サービス提供セルはＮＲ（Ｎｅｗ  Ｒａｄｉｏ）セルであり、前記ターゲットセルはＮＲセルである、
請求項３４から３８のいずれか１項記載の方法。
【請求項４０】
前記サービス提供セルはＬＴＥ（Ｌｏｎｇ  Ｔｅｒｍ  Ｅｖｏｌｕｔｉｏｎ）セルであり、前記ターゲットセルはＮＲ（Ｎｅｗ  Ｒａｄｉｏ）セルである、
請求項３４から３８のいずれか１項記載の方法。
【請求項４１】
前記失敗通知を送信するステップは、前記同期ブロックが前記構成情報に関連付けられていないことを決定するステップに続いて実施される、
請求項１から５のいずれかに記載の方法。
【請求項４２】
前記失敗通知を送信するステップは、前記第１同期ブロックが前記構成情報に関連付けられていないと判定するステップと、前記無線周波数再同調動作を実行することができないと判定するステップとに続いて実施される、
請求項１１から１３のいずれか１項記載の方法。
【請求項４３】
前記タイミング差情報は、
システムフレーム番号（ＳＦＮ）オフセット、フレーム境界オフセット、前記サービス提供セルと前記ターゲットセルとの間のサブフレーム境界オフセット、
のうちの１つ以上を含む、
請求項３４記載の方法。
【請求項４４】
前記ＣＳＩ−ＲＳの前記タイミング構成情報は、リソース時間ドメイン期間または時間ドメインオフセットを有する、
請求項３８記載の方法。
【請求項４５】
請求項１から４４のいずれか１項記載の方法を実施するように構成されたプロセッサを備える無線通信装置。
【請求項４６】
コンピュータ読み取り可能なプログラム媒体コードを格納するコンピュータプログラム製品であって、
前記コードはプロセッサによって実行されるとき、前記プロセッサに請求項１から４４のいずれか１項記載の方法を実装させる、
コンピュータプログラム製品。
【発明の詳細な説明】
【技術分野】
【０００１】
本文書は、一般的に無線通信を対象としている。
【背景技術】
【０００２】
無線通信技術は、ますます接続されネットワーク化された社会に向かって世界を動かしている。無線通信の急速な成長および技術の進歩は、性能および接続性に対するより大きな需要をもたらした。エネルギー消費、デバイスコスト、スペクトル効率、および待ち時間などの他の側面も、様々な通信シナリオのニーズを満たすために重要である。既存の無線ネットワークと比較して、次世代のシステムおよび無線通信技術は、より効率的なサービス提供セルおよび隣接セル管理ならびに膨大な数の接続を提供する必要がある。
【発明の概要】
【発明が解決しようとする課題】
【０００３】
本文書は、ロングタームエボリューション（ＬＴＥ）および新規無線（ＮＲ）システムにおける効率的なセル管理およびセル情報取得と報告のための方法、システム、およびデバイスに関する。
【課題を解決するための手段】
【０００４】
１つの例示的な態様では、無線通信方法が開示される。この方法は無線装置において実装可能であり、以下を有する：（ａ）構成情報の要求と（ｂ）同期ブロックとを受信するステップ；前記同期ブロックが前記構成情報に関連付けられていないと判断するステップ；前記構成情報の要求に応答して障害通知を送信するステップ。
【０００５】
別の例示的な態様では、無線通信方法が開示される。この方法は無線装置において実装可能であり、以下を有する：（ａ）構成情報の要求と、（ｂ）第１同期ブロックとを受信するステップ；（ａ）前記第１同期ブロックが前記構成情報に関連付けられていないことを決定し、（ｂ）前記構成情報に関連付けられた第２同期ブロックに関連する情報を前記第１同期ブロックが有することを決定するステップ；前記構成情報を取得するために無線周波数再調整動作を実行することができるかどうかを決定するステップ。
【０００６】
さらに別の例示的な態様では、無線通信方法が開示される。この方法は無線装置において実装可能であり、以下を有する：（ａ）ターゲットセルに関するセル情報に関する要求、および（ｂ）サービス提供セルとターゲットセルとの間のタイミング差情報に関する要求を受信するステップ；前記要求が前記ターゲットセルに関する識別情報を含むかどうかを判定するステップ。
【０００７】
さらに別の例示的な態様では、無線通信方法が開示される。この方法は、ネットワークノードにおいて実施可能であり、以下を有する：サービス提供セルとターゲットセルとの間のタイミング差情報を受信するステップ；前記タイミング差情報に基づいてタイミング構成情報を調整するステップ；前記調整後に前記タイミング構成情報を送信するステップ。
【０００８】
さらに別の例示的な態様では、上述の方法がプロセッサ実行可能コードの形態で実施され、コンピュータ可読プログラム媒体に格納される。
【０００９】
さらに別の例示的な実施形態では、上述の方法を実行するように構成されまたは動作可能なデバイスが開示される。
【００１０】
上記および他の態様ならびにそれらの実施は、図面、説明、および特許請求の範囲においてより詳細に説明される。
【図面の簡単な説明】
【００１１】
【図１】Ｎｅｗ  Ｒａｄｉｏ（ＮＲ）セルにおける異なるタイプの同期信号／物理ブロードキャストチャネルブロック（ＳＳＢ）の例を示す。
【００１２】
【図２】複数の同期信号／物理ブロードキャストチャネルブロック（ＳＳＢ）で構成されたＮｅｗ  Ｒａｄｉｏ（ＮＲ）セルの例を示す。
【００１３】
【図３】本開示の技術のいくつかの実施形態による、無線通信における基地局（ＢＳ）およびユーザ機器（ＵＥ）の例を示す。
【００１４】
【図４】セル情報取得および報告のための無線通信方法の１例を示す。
【００１５】
【図５】セル情報の取得および報告のための無線通信方法の別例を示す。
【００１６】
【図６】セル情報取得および報告のための無線通信方法のさらに別の例を示す。
【００１７】
【図７】セル情報取得および報告のための無線通信方法のさらに別の例を示す。
【００１８】
【図８】この特許文献に記載された方法または技術を実施することができる装置の一部のブロック図表現である。
【発明を実施するための形態】
【００１９】
セルラ移動通信システムにおいては、オペレータが近隣関係を手動で管理する負担を軽減するために、ＡＮＲ（Ａｕｔｏｍａｔｉｃ  Ｎｅｉｇｈｂｏｕｒ  Ｒｅｌａｔｉｏｎ）機能が導入されている。１例では、ＬＴＥ（Ｌｏｎｇ  Ｔｅｒｍ  Ｅｖｏｌｕｔｉｏｎ）システムにおけるＡＮＲ機能は主に、未知の隣接セルのＥＣＧＩ（Ｅ−ＵＴＲＡＮ  Ｃｅｌｌ  Ｇｌｏｂａｌ  Ｉｄｅｎｔｉｆｉｅｒ）を取得するように構成される場合がある。このＡＮＲ手順は、以下のステップを含むことができる：
【００２０】
（１）セルＡに接続されたＵＥは、セルＢに関する測定報告を送信する。この報告はセルＢのＰＣＩ（物理セル識別子）を含むが、ＥＣＧＩは含まない；
【００２１】
（２）セルＢがセルＡの隣接セルではないと仮定すると、セルＡは測定構成（または要求）をＵＥに対して送信することにより、セルＢのＥＣＧＩを報告する。これにより、要求されたＰＣＩおよび周波数情報を提供し、報告の測定目的をＲｅｐｏｒｔＣＧＩに設定する。
【００２２】
（３）ＵＥが測定構成を受信すると、ＵＥは通知された隣接セルのブロードキャストチャネルからＥＣＧＩを読み取り、測定報告を送信することによって、対応する情報をネットワークに送信することができる。このメッセージ内で、ＵＥは、ＥＣＧＩ、ＴＡＣ（追跡エリアコード）、およびすべてのＰＬＭＮ（公衆陸上移動体ネットワーク）ＩＤを有することができる。
【００２３】
Ｎｅｗ  Ｒａｄｉｏ（ＮＲ）システムにおいては、ＡＮＲ機能が非スタンドアロンシナリオとスタンドアロンシナリオの両方に対して導入される。非スタンドアロンシナリオの場合、ＵＥはＬＴＥおよびＮＲシステムの両方に接続され、ＵＥは未知のＮＲセルのＣＧＩ（Ｃｅｌｌ  Ｇｌｏｂａｌ  Ｉｄｅｎｔｉｆｉｅｒ）を報告するように構成することができる。スタンドアロンシナリオの場合、ＵＥは、ＮＲシステムにのみ接続され、未知のＮＲセルのＣＧＩも報告するように構成することができる。
【００２４】
＜概要と用語＞
【００２５】
ＮＲシステムは、複数の同期信号／物理ブロードキャストチャネルブロック（ＳＳＢ）をサポートすることができるように構成される。図１に示すように、ＳＳＢは少なくとも３つの部分：（１）プライマリ同期信号（ＰＳＳ）、（２）セカンダリ同期信号（ＳＳＳ）、（３）プライマリブロードキャストチャネル（ＰＢＣＨ）を含む。特定のシナリオでは、ＰＳＳおよびＳＳＳをまとめて「同期信号」と呼ばれることがある
【００２６】
１例において、ＰＢＣＨは、いくつかの情報エレメント（ＩＥ）を含むマスタ情報ブロック（ＭＩＢ）を有している。ＩＥの例としては、ＳＦＮ（Ｓｙｓｔｅｍ  Ｆｒａｍｅ  Ｎｕｍｂｅｒ）、ＲＭＳＩ（ｒｅｍａｉｎｉｎｇ  ｍｉｎｉｍｕｍ  ｓｙｓｔｅｍ  ｉｎｆｏｒｍａｔｉｏｎ）のスケジューリング情報、他のＳＳＢのスケジューリング情報などがある。
【００２７】
１例において、ＲＭＳＩは、セルにアクセスするために必要な情報（例えば、ＣＧＩ、ＴＡＣ、ＰＬＭＮ  ＩＤ、ＳＳＢリソースタイミング構成など）を含むシステム情報のタイプ（例えば、システム情報ブロック１、またはＳＩＢ１）である。ネットワークがＲｅｐｏｒｔＣＧＩ測定値を送信するとき、主な目的の１つは、ＲＭＳＩに関する情報を取得することである。
【００２８】
図１に示すように、少なくとも３種類のＳＳＢがある：
【００２９】
（１）通常のＳＳＢ、例えばＳＳＢ１は、ＲＭＳＩと関連付けられる。ここで、ＳＳＢ１におけるＰＢＣＨの内容は、ＲＭＳＩのスケジューリング情報を含む。ＳＳＢ１がＵＥによって受信される場合、ＵＥはＰＢＣＨを復号し、ＲＭＳＩの少なくとも時間および周波数位置を取得し、その後、ＲＭＳＩを受信し、復号して、必要な情報を取得することができる。
【００３０】
（２）ＲＭＳＩに関連しないＳＳＢ、例えばＳＳＢ２。ここで、ＳＳＢ２のＰＢＣＨの内容は、ＲＭＳＩのスケジューリング情報を含まない。ＳＳＢ２を受信し、そのＰＢＣＨを復号するＵＥは、ＲＭＳＩのために必要なスケジューリング情報を有さないことがある。
【００３１】
（３）ＲＭＳＩに関連付けられていないが、別のＳＳＢ（例えばＳＳＢ３）の位置を示すＳＳＢ。ここで、ＳＳＢ３はＲＭＳＩに関連しないが、ＰＢＣＨの内容はＲＭＳＩに関連する他のＳＳＢのスケジューリング情報を含む。ＵＥがＳＳＢ３を受信し、ＰＢＣＨのコンテンツを復号するとき、ＵＥはＳＳＢ１に再同調し、ＲＭＳＩのスケジューリング情報を得るためにＳＳＢ１内のＰＢＣＨのコンテンツを復号し、次いで、ＲＭＳＩを受信することができる。
【００３２】
＜既存システムの例示的な実施形態＞
【００３３】
ＬＴＥシステムにおいては、ＥＣＧＩは固定周期で送信されるシステム情報においてブロードキャストされ、ＵＥはセルに同期した後に関連するシステム情報を得ることができる。ＰＳＳ（Ｐｒｉｍａｒｙ  Ｓｙｎｃｈｒｏｎｏｕｓ  Ｓｉｇｎａｌ）とＳＳＳ（Ｓｅｃｏｎｄａｒｙ  Ｓｙｎｃｈｒｏｎｏｕｓ  Ｓｉｇｎａｌ）がセル中心周波数で送信されるからである。ネットワークが周波数とＰＣＩをＵＥに対して通知すると、ＵＥは関連するシステム情報を検索し、デコードしてＥＣＧＩを得ることができる。
【００３４】
ＮＲシステムにおいては、ＬＴＥシステムとは対照的に、ＰＳＳ、ＳＳＳ、およびＰＢＣＨはＳＳＢ（同期信号／ＰＢＣＨブロック、またはＳＳ／ＰＢＣＨブロック）を介して送信され、ＳＳＢはセル内の任意の周波数で送信される場合がある。特定のシナリオでは複数のＳＳＢが送信される場合があり、広帯域セルは異なる周波数で２つ以上のＳＳＢを送信してもよい。
【００３５】
ＮＲシステムにおいては、ＣＧＩ情報はＲＭＳＩ（Ｒｅｍａｉｎ  ｍｉｎｉｍｕｍ  ｓｙｓｔｅｍ  ｉｎｆｏｒｍａｔｉｏｎ）に含まれ、ＲＭＳＩは少なくともＳＩＢ１（Ｓｙｓｔｅｍ  ｉｎｆｏｒｍａｔｉｏｎ  ｂｌｏｃｋ  １）を含むことができる。１配置例においては、各ＳＳＢがＲＭＳＩに関連してもよいし、関連しなくてもよい。ＵＥはＳＳＢに基づいて測定を実行することができるので、ＵＥはＲＭＳＩに関連付けられていないＳＳＢに基づいて、未知のセルのＰＣＩを報告することができる。ネットワークがＳＳＢのこの周波数でＰＣＩのＣＧＩを報告するようにＵＥを設定している場合、ＵＥはＲＭＳＩをデコードできないので、報告ＣＧＩが失敗することがある。
【００３６】
現在の仕様（または標準）は、ＵＥがネットワークに対して障害の理由を通知することを可能にしない。したがって、ネットワークの観点から、障害は劣悪なセル品質のために発生した可能性があり、その結果、ネットワークは同じセルについてＣＧＩを報告するように他のＵＥを構成する可能性があり、これは、継続的に障害をもたらす可能性がある。
【００３７】
さらに、ＮＲ  ＳＳＢリソースの特性に基づいて、ＵＥがＮＲセル上で測定するように要求される場合、ネットワークは測定された周波数のＳＭＴＣ（ＳＳＢ測定タイミング構成）をＵＥに対して通知するべきであり、これは、ＳＳＢ送信ビットマップとともに、測定されたウィンドウの持続時間、期間、オフセットを含むことができる。
【００３８】
現在の仕様では、ネットワークは、X２／Ｘｎインターフェースを介して隣接セル（ターゲットセルとも呼ばれる）のＳＭＴＣを取得することができる。しかしながら、サービス提供セルがその周波数において隣接セル上で測定するようにＵＥを構成する場合、ＵＥは、サービス提供セルのタイミングに基づいてＳＭＴＣウィンドウ計算を実行することができる。非同期配置の場合、所与の周波数の未知の隣接セルについて、サービス提供セルがサービス提供セルと隣接セルとの間のタイミング差を予測できない場合、サービス提供セルは、測定を構成するときに隣接セルのＳＭＴＣを調整することができない。ｒｅｐｏｒｔＣＧＩ以外の通常の測定では、ＵＥが誤ったＳＭＴＣ構成を構成することによってセルを検出することができない。
【００３９】
ＬＴＥシステムにおいては、ネットワークにおいてＡＮＲ機能がイネーブルされると、ネットワークはＵＥ測定報告から未知の隣接セルのＰＣＩを取得することができ、ネットワークは任意のＵＥに対して、ｒｅｐｏｒｔＣＧＩ測定を介してそのセルのＥＣＧＩを報告するようにトリガすることができる。この測定構成を受信すると、ＵＥは、タイマ（その持続時間は標準または仕様で指定る）を開始することができる。タイマが満了する前に、ＵＥはターゲットセルを探索し、ターゲットセルのシステム情報を復号して、ＥＣＧＩおよび他のセル情報（ＰＬＭＮ  ＩＤ、ＴＡＣなど）を取得することを試みることができる。ＵＥが成功すると、ＵＥはこれらの情報を含む測定レポートメッセージをネットワークに送信する。ＵＥが失敗し、タイマが期限切れになった場合、ＵＥは測定レポートメッセージをネットワークに送信することもできるが、セル情報は含まれず、ネットワークは測定レポートメッセージの内容に基づいて障害を認識することがある。次に、ネットワークは他のＵＥを選択して、この未知のＰＣＩに対して同じ手順をトリガする可能性がある。
【００４０】
ＬＴＥシステムにおいては、ＰＳＳ／ＳＳＳがセルの中心周波数に位置し、ターゲットセルの周波数およびＰＣＩを受信すると、ＵＥはターゲットセルを探索し、ターゲットセルの関連するシステム情報を取得することができる。
【００４１】
ＮＲシステムにおいては、セル情報はＲＭＳＩに含まれる。ＲＭＳＩは、ＮＲセルでブロードキャストされるシステム情報の一種でもある。ＰＳＳ、ＳＳＳ、およびＰＢＣＨはＳＳＢ内で送信され、ＳＳＢはＮＲセルの中心周波数とは異なる周波数で送信することができる。ＵＥが所与のＮＲセルのＣＧＩを獲得することを要求される場合、ＵＥは最初に、ＳＳＢに基づいてターゲットセルに同期し、ＰＢＣＨを復号してＲＭＳＩの送信情報を獲得し、次いで、ＲＭＳＩを受信し、復号して、セル情報（ＣＧＩ、ＴＡＣ、およびＰＬＭＮ  ＩＤなど）を獲得しなければならない。
【００４２】
ＮＲシステムにおいては、ＳＳＢはＲＭＳＩに関連するように、またはＲＭＳＩに関連しないように柔軟に構成することができる。例（１）では、非スタンドアロンＮＲセルがセカンダリセル（ＳＣｅｌｌ）としてのみ扱われてもよく、アイドル状態にあるＵＥはこのセルへの初期アクセスを実行することを許可されない。この場合、ＳＳＢは測定を実行するが、ＲＭＳＩに関連付けられないように構成することができる。例（２）では、図２に示すように、ＮＲセルは複数のＳＳＢで構成することができる。複数のＳＳＢは異なる周波数上で送信されてもよく、ＳＳＢのいくつかは、ＲＭＳＩ（例えば、ＳＳＢ１およびＳＳＢ３）に関連付けられてもよく、いくつかのＳＳＢはＲＭＳＩ（例えば、ＳＳＢ２およびＳＳＢ４）に関連付けられる必要はない。
【００４３】
さらに、例（２）のコンテキストでは、ＲＭＳＩに関連付けられていないＳＳＢは、セルへの初期アクセスを実行する際にＵＥを支援するＲＭＳＩに関連付けられたＳＳＢの別の周波数位置を示すことができる。
【００４４】
ＮＲシステムにおいて、測定値はＳＳＢに基づいて構成することができ、ネットワークはネットワークからＵＥに対して送信される測定構成メッセージを介して、ＭｅａｓＯｂｊｅｃｔ内の測定されたＳＳＢの周波数位置を示すことができ、異なる周波数を有するＳＳＢは異なるＭｅａｓＯｂｊｅｃｔとしてモデル化することができる。このシナリオでは、ＵＥはそれらが同じセルに属するか否かに気付かない。
【００４５】
上記例に見られるように、ＬＴＥシステムのための既存のＡＮＲ測定構成および報告メカニズムは、ＮＲシステムにおいて直接再利用することはできない。いくつかの例示的なケースとしては以下が挙げられる：（１）ＲＭＳＩに関連付けられていないＳＳＢ上でｒｅｐｏｒｔＣＧＩを実行し、結果として障害をもたらす可能性があるＵＥ、（２）異なるＵＥが異なる周波数およびＰＣＩ上で同じＣＧＩを報告する可能性がある複数のＳＳＢシナリオをサポートすること、（３）セル情報が変更されたか、またはセルが複数のＳＳＢセルであるかを区別する際のネットワークの困難性。
【００４６】
サービス提供セルと隣接（またはターゲット）セルとの間のタイミング差測定のために、ＬＴＥシステムにおいて、ＵＥはＵＥがＬＴＥ  ＤＣ（デュアル接続）モードで動作しているときにのみこれをサポートすることができ、タイミング差は、プライマリセル（ＰＣｅｌｌ）とプライマリセカンダリセル（ＰＳＣｅｌｌ）との間で測定される。ＮＲシステムにおいて、ＵＥはサービス提供セルと別のセル（ＰＳＣｅｌｌではない）との間のタイミング差を測定することができるが、ｒｅｐｏｒｔＣＧＩ測定のためにこの能力をサポートしない。
【００４７】
図３は、基地局（ＢＳ）３２０と、１つまたは複数のユーザ機器（ＵＥ）３１１、３１２、および３１３とを含む無線通信システムの例を示す。いくつかの実施形態では、基地局は構成情報の要求および同期ブロック（３４１、３４２、３４３）をＵＥに対して送信することができる。これらが関連付けられていないと判定したことに応答して、ＵＥは、障害通知（３３１、３３２、３３３）を送信することができる。
【００４８】
＜セル情報収集および報告のための例示的な実施形態の第１セット＞
【００４９】
サービングネットワークがターゲットセルのセル情報を取得するようにＵＥに対して指示し、ターゲットセルがＮＲセルである場合、ネットワークは、測定構成をＵＥに対して送信することによって、これを実施する。測定構成はターゲットセルのＰＣＩおよび周波数を含み、その測定目的は、ＵＥがターゲットセルのセル情報を取得しようと試みることを通知するように設定される。
【００５０】
いくつかの実施形態では、このサービングネットワークは、ＬＴＥサイト（またはセル）またはＮＲサイトである。ＬＴＥサイトの場合、ＵＥは非スタンドアロンモードで動作することができ、ＵＥは、ＬＴＥノードおよびＮＲノードの両方にデュアル接続される。ＮＲサイトの場合、ＵＥは非スタンドアロンモードまたはスタンドアロンモードのいずれかで動作している可能性がある。
【００５１】
測定構成を受信すると、ＵＥは関連するタイマを開始し、通知された周波数およびＰＣＩに基づいてターゲットセルの探索を試みる。ターゲットセルと同期した後、ＵＥは、ＳＳＢで送信されたＰＢＣＨを復号して、ＲＭＳＩのスケジューリング情報を得ることができる。ＰＢＣＨの内容がこのＳＳＢがＲＭＳＩに関連付けられていないことを示す場合、ＵＥは、測定報告メッセージに障害通知を含めることによって、または測定報告メッセージに特定の原因値を含めることによって、障害通知をネットワークに対して報告することができる。さらに、ＵＥはＵＥがＰＢＣＨコンテンツを正常に復号した直後に測定レポートを送信することができ、またはＵＥは、関連するタイマが満了したときに測定レポートを送信することができる。
【００５２】
ケース１。１例において、ＵＥはＮＲセルＡに接続され、ＮＲサービングネットワークはターゲットＮＲセルＢのセル情報を取得するようにＵＥに対して命令する。ネットワークは測定構成をＵＥに対して送信し、測定目的はｒｅｐｏｒｔＣＧＩに設定され、セルＢの対応する周波数およびＰＣＩを含む。
【００５３】
ＵＥは測定構成を受信すると、タイマを起動し、受信したセルＢの周波数およびＰＣＩに基づいてターゲットセルＢのＳＳＢを探索することを試みる。探索が成功した場合、ＵＥはＰＢＣＨの内容を復号してＲＭＳＩのスケジューリング情報を取得する。ＲＭＳＩのスケジューリング情報が存在しない場合、これはこのＳＳＢがＲＭＳＩに関連付けられていないことを意味しており、ＵＥは、ＲＭＳＩに関連付けられていないターゲットセルＢの通知されたＳＳＢに起因してｒｅｐｏｒｔＣＧＩプロシージャが失敗したという明示的な通知を含む測定レポートを、即座にネットワークに対して送信する。１例では、明示的通知は１ビット（例えば、真または偽を示す）とすることができる。
【００５４】
この測定報告を受信した後、ネットワークは受信した通知に基づいてこの試みの失敗の理由を認識し、この周波数およびＰＣＩ上でｒｅｐｏｒｔＣＧＩ手順をもはやトリガしないことがある。
【００５５】
ケース２。別例において、ＵＥはＬＴＥセルＡおよびＮＲセルＢの両方にデュアル接続され、ＬＴＥサービングネットワークはターゲットＮＲセルＣのセル情報を取得するようにＵＥに対して命令し、ＬＴＥネットワークは、測定目的がｒｅｐｏｒｔＣＧＩに設定されＮＲセルＣの対応する周波数およびＰＣＩを含む測定構成をＵＥに対して送信する。
【００５６】
ＵＥは測定構成を受信すると、タイマをスタートさせ、セルＣの受信周波数およびＰＣＩに基づいてターゲットセルＣのＳＳＢをサーチしようと試みる。サーチが成功した場合、ＵＥはＰＢＣＨの内容を復号してＲＭＳＩのスケジューリング情報を獲得する。ＲＭＳＩのスケジューリング情報がない場合、これはこのＳＳＢがＲＭＳＩと関連しないことを意味しており、ＵＥはタイマが満了したとき即座に、ＬＴＥネットワークに対して測定レポートを送信する。測定レポートは、ＲＭＳＩに関連付けられていないターゲットセルＢの通知されたＳＳＢに起因してｒｅｐｏｒｔＣＧＩ手順が失敗したことをネットワークに通知する原因値を含む。
【００５７】
この測定報告を受信した後、ＬＴＥネットワークは受信した原因値に基づいてこの試みの失敗の理由を認識し、この周波数およびＰＣＩ上で追加のｒｅｐｏｒｔＣＧＩ手順をもはやトリガしないことがある。
【００５８】
図４は、無線装置において実装することができる、セル情報取得および報告のための無線通信方法の１例を示す。方法４００は、ステップ４１０において、構成情報の要求を受信することを含む。いくつかの実施形態では、この方法は、要求を受信するとタイマを開始することをさらに含むことができる。
【００５９】
方法４００は、ステップ４２０において、同期ブロックを受信することを含む。いくつかの実施形態では、同期ブロックはＳＳＢであってもよい。
【００６０】
方法４００は、ステップ４３０において、同期ブロックが構成情報に関連付けられていないことを決定することを含む。いくつかの実施形態では、同期ブロック（例えば、ＳＳＢ）と構成情報との間の関連付けの欠如を決定することは、無線デバイスが構成情報を取得することを可能にするスケジューリング情報を同期ブロック（例えば、ＰＢＣＨ）の一部が除外することを決定することを含む。
【００６１】
方法４００は、ステップ４４０において、構成情報の要求に応答して失敗通知を送信することを含む。いくつかの実施形態では、失敗通知は明示的な１ビット通知であってもよい。他の実施形態では、失敗通知は構成情報に関連付けられていない同期ブロックに対応する値であってもよい。
【００６２】
いくつかの実施形態では、失敗通知は時間が経過した後に送信される。
【００６３】
いくつかの実施形態では、構成情報の要求はサービス提供セルから受信され、構成情報はターゲットセルに関連付けられる。１例では、サービス提供セルとターゲットセルの両方がＮＲセルである。別の例では、サービス提供セルはＬＴＥセルであり、ターゲットセルはＮＲセルである。
【００６４】
＜セル情報収集および報告のための例示的な実施形態の第２セット＞
【００６５】
ターゲットセルのセル情報を取得するようにＵＥに対して指示することをサービングネットワークが望み、ターゲットセルがＮＲセルである場合、ネットワークは、測定構成をＵＥに対して送信する。この測定構成はターゲットセルのＰＣＩおよび周波数を含み、その測定目的は、ＵＥがターゲットセルのセル情報を取得することを通知するように設定される。
【００６６】
いくつかの実施形態では、このサービングネットワークはＬＴＥサイトまたはＮＲサイトである。ＬＴＥサイトの場合、ＵＥは非スタンドアロンモードで動作しており、ＬＴＥノードおよびＮＲノードの両方にデュアル接続されている。ＮＲサイトの場合、ＵＥは非スタンドアロンモードまたはスタンドアロンモードのいずれかで動作している。
【００６７】
測定構成を受信すると、ＵＥは関連するタイマを開始し、通知された周波数およびＰＣＩに基づいてターゲットセルを探索しようと試みる。ターゲットセルと同期した後、ＵＥは、ＳＳＢで伝送されたＰＢＣＨを復号してＲＭＳＩのスケジューリング情報を取得する。ＰＢＣＨの内容はこのＳＳＢがＲＭＳＩに関連付けられていないことを示すが、さらに別のＳＳＢの構成情報を示す。この場合、ＵＥは、異なる周波数上に位置する可能性がある通知されたＳＳＢに対してＲＦ再同調を実行する。通知されたＳＳＢのＰＢＣＨの復号に成功した後、ＵＥはＲＭＳＩのスケジューリング情報を取得し、次いで、ＲＭＳＩのコンテンツを受信および復号して、ターゲットセルのセル情報を取得する。
【００６８】
この手順が成功する例示的なシナリオでは、ＵＥは、ターゲットセルのセル情報を含めることによって、またはセル情報およびターゲットセルの他の通知されたＳＳＢの構成を含めることによって、測定報告をネットワークに対して送信することができる。上述の他の通知されたＳＳＢの構成は、ＳＳＢの周波数位置、またはＳＳＢの存在の通知を含むことができる。
【００６９】
この手順が失敗する例示的なシナリオでは（例えば、ＵＥが通知されたＳＳＢへのリチューニングを実行することができないか、または通知されたＳＳＢに基づいてセル情報を取得することに失敗した）、ＵＥは測定レポートをネットワークに送信することができる。１例では、測定レポートは以下の１以上を含む：（１）障害理由を示すための明示的な通知は、要求されたＳＳＢがＲＭＳＩに関連付けられていないことである、（２）障害理由を示すための原因値は、要求されたＳＳＢがＲＭＳＩに関連付けられていないことである、（３）他の通知されたＳＳＢの構成、例えばＳＳＢの周波数位置、ＳＳＢの存在通知、および／またはＳＳＢに関連する任意のその他の情報。
【００７０】
さらに、成功した場合、ＵＥは、ＵＥがターゲットセルのセル情報を取得成功した直後に測定レポートを送信することができる。失敗した場合、ＵＥは失敗の直後に、または関連するタイマが満了したときに、測定レポートを送信することができる。
【００７１】
ケース１。ＵＥはＮＲセルＡに接続され、ＮＲサービングネットワークはターゲットＮＲセルＢのセル情報を取得するようにＵＥに対して指示する。ネットワークは、測定目的がｒｅｐｏｒｔＣＧＩに設定され、対応するセルＢのＳＳＢ１およびＰＣＩの周波数を含む測定構成を、ＵＥに対して送信する。
【００７２】
ＵＥは測定構成を受信すると、タイマを起動し、受信したセルＢの周波数とＰＣＩとに基づいて、ターゲットセルＢのＳＳＢ１を探索することを試みる。探索が成功した場合、ＵＥはＰＢＣＨの内容を復号してＲＭＳＩのスケジューリング情報を取得する。１例ではＲＭＳＩのスケジュール情報はなく、これはこのＳＳＢがＲＭＳＩに関連付けられていないことを意味しているが、ＰＢＣＨの内容は別のＳＳＢ（例えば、ＳＳＢ２）の構成情報を示す。次いで、ＵＥは、ＳＳＢ２のＰＢＣＨの復号に成功した後に、異なる周波数に位置する可能性がある通知されたＳＳＢ２にＲＦ再同調する。ＵＥはＲＭＳＩのスケジューリング情報を取得した後、ＲＭＳＩの内容を受信して復号し、ターゲットセルのセル情報を取得する。
【００７３】
ターゲットセルのセル情報を取得した後、ＵＥは、ターゲットセルのセル情報を含めることによって、またはターゲットセルのセル情報およびＳＳＢ２の構成通知を含めることによって、ネットワークに対して測定報告を送信する。
【００７４】
いくつかの実施形態では、セル情報は以下のうち１以上を含む：（１）ターゲットセルのセルグローバル識別子（ＣＧＩ）、（２）ターゲットセルのＰＬＭＮ  ＩＤまたはＰＬＭＮ  ＩＤリスト、（３）ターゲットセルのトラッキングエリアコード（ＴＡＣ）、および（４）ターゲットセルのＳＳＢリソースタイミング構成。
【００７５】
いくつかの実施形態では、ターゲットセルのＳＳＢリソースタイミング構成は、時間ドメインＳＳＢ送信期間、ＳＳＢ送信オフセット、ＳＳＢ送信持続時間、およびＳＳＢ送信ビットマップのうちの１つまたは複数を含む。さらに、ＵＥは、サービス提供セルのタイミング基準に基づいて、またはターゲットセルのタイミング基準に基づいて、この情報（またはこの情報の一部）を送信することができる。
【００７６】
いくつかの実施形態では、ＳＳＢ２の構成指示は、ＳＳＢの周波数位置、ＳＳＢ２の存在通知、ＳＳＢ２のＳＳＢリソースタイミング構成、およびＳＳＢ２の任意のその他の情報のうちの１つまたは複数を含むことができる。
【００７７】
ケース２。ＵＥはＬＴＥセルＡおよびＮＲセルＢの両方にデュアル接続され、ＬＴＥサービングネットワークはターゲットＮＲセルＣのセル情報を取得するようにＵＥに対して指示する。ＬＴＥネットワークは、測定目的がｒｅｐｏｒｔＣＧＩに設定され、ＮＲセルＣのＳＳＢ１およびＰＣＩの対応する周波数を含む測定構成を、ＵＥに対して送信する。
【００７８】
ＵＥは計測構成を受信すると、タイマを起動し、受信したセルＣの周波数とＰＣＩとに基づいて、ターゲットセルＣのＳＳＢ１を探索することを試みる。探索に成功した場合、ＵＥはＰＢＣＨの内容を復号してＲＭＳＩのスケジューリング情報を取得するが、ＲＭＳＩのスケジューリング情報がないと判定し、これはこのＳＳＢがＲＭＳＩに関連付けられていないことを意味する。ただし、ＰＢＣＨの内容は、他のＳＳＢ２の設定情報を示す。この場合、ＵＥは、通知されたＳＳＢ２へのＲＦ再同調を実行することができず、要求ＳＳＢ１がＲＭＳＩに関連付けられていないことを示す明示的な通知を含む測定報告をＬＴＥサービングネットワークに対して送信する。さらに、ＵＥは、ＳＳＢ１のＰＢＣＨから取得されたＳＳＢ２の構成情報を通知することができる。いくつかの実施形態では、ＳＳＢ２の構成情報は、ＳＳＢ２の周波数位置、ＳＳＢ２の存在情報、およびＳＳＢ２に関連する任意のその他の情報のうちの１つまたは複数を含むことができる。
【００７９】
この測定報告を受信すると、ネットワークは、受信した通知およびＳＳＢ２の情報に基づいて、この試みが失敗した理由を認識する。これに基づいて、ネットワークは、ＳＳＢ１およびＰＣＩの周波数上でｒｅｐｏｒｔＣＧＩ手順をトリガすることはない。その代わりに、ネットワークはＳＳＢ１およびＳＳＢ２が同じセルに属することを決定したので、ネットワークはターゲットセルＣのＳＳＢ２およびＰＣＩの周波数上で、後にｒｅｐｏｒｔＣＧＩ手順を直接トリガすることができる。
【００８０】
ケース３。ＵＥはＬＴＥセルＡおよびＮＲセルＢの両方にデュアル接続され、ＬＴＥサービングネットワークはターゲットＮＲセルＣのセル情報を取得するようにＵＥに指示する。ＬＴＥネットワークは、測定目的がｒｅｐｏｒｔＣＧＩに設定され、ＮＲセルＣのＳＳＢ１およびＰＣＩの対応する周波数を含む測定構成を、ＵＥに対して送信する。
【００８１】
ＵＥは計測構成を受信すると、タイマを起動し、受信したセルＣの周波数とＰＣＩとに基づいて、ターゲットセルＣのＳＳＢ１を探索することを試みる。探索に成功した場合、ＵＥはＰＢＣＨの内容を復号してＲＭＳＩのスケジューリング情報を取得するが、ＲＭＳＩのスケジューリング情報がないと判定し、これはこのＳＳＢがＲＭＳＩに関連付けられていないことを意味する。ただし、ＰＢＣＨの内容は、他のＳＳＢ２の設定情報を示す。この場合、ＵＥは、異なる周波数に位置する可能性がある、通知されたＳＳＢ２へのＲＦ再同調を実行することができる。ＳＳＢ２のＰＢＣＨの復号に成功した後、ＵＥは、ＲＭＳＩのスケジューリング情報を取得する。
【００８２】
しかしながら、ＵＥはタイマが満了する前に、ターゲットセルのセル情報を取得することができない。この場合、ＵＥは測定報告をＬＴＥサービングネットワークに対して送信し、要求ＳＳＢ１がＲＭＳＩに関連付けられていないことを示す原因値を含める。ＵＥはさらに、ＳＳＢ１のＰＢＣＨから取得したＳＳＢ２の構成情報を通知することができる。いくつかの実施形態では、ＳＳＢ２の構成情報は、ＳＳＢ２の周波数位置、ＳＳＢ２の存在情報、およびＳＳＢ２に関連する任意の他の情報のうちの１つまたは複数を含むことができる。
【００８３】
この測定報告を受信すると、ネットワークは、受信した通知およびＳＳＢ２の情報に基づいて、この試みが失敗した理由を認識する。これに基づいて、ネットワークは、ＳＳＢ１およびＰＣＩの周波数上で追加のｒｅｐｏｒｔＣＧＩ手順をもはやトリガしないことがある。その代わりに、ネットワークはＳＳＢ１およびＳＳＢ２が同じセルに属することを決定したので、ネットワークはターゲットセルＣのＳＳＢ２およびＰＣＩの周波数上で、後にｒｅｐｏｒｔＣＧＩ手順を直接トリガすることができる。
【００８４】
図５は、無線装置において実装することができる、セル情報取得および報告のための無線通信方法の例を示す。方法５００は、ステップ５１０において、構成情報の要求を受信することを含む。
【００８５】
方法５００は、ステップ５２０において、第１同期ブロックを受信することを含む。
【００８６】
方法５００はステップ５３０において、（ａ）第１同期ブロックが構成情報に関連付けられていないこと、（ｂ）第１同期ブロックが、構成情報に関連付けられた第２同期ブロックに関連する情報を含むこと、を決定する。いくつかの実施形態では、第１および第２同期ブロックは異なるＳＳＢ（例えば、ＳＳＢ１とＳＳＢ２）である。
【００８７】
方法５００は、ステップ５４０において、構成情報を取得するために無線周波数再同調動作を実行することができるかどうかを判定することを含む。いくつかの実施形態では、無線装置が再同調することができないことがあり、構成情報の要求に応答して、失敗通知が送信される。いくつかの実施形態では、失敗通知は明示的な１ビット通知であってもよい。他の実施形態では、失敗通知は構成情報に関連付けられていない同期ブロックに対応する値であってもよい。
【００８８】
いくつかの実施形態では、無線装置はリチューニング動作を実行することができ、ＳＳＢ２に関連する周波数にリチューニングすることによって構成情報を受信することができる。次に、無線装置は、設定情報および／またはＳＳＢ２に関連する情報をネットワークノードに送信することができる。
【００８９】
いくつかの実施形態では、サービス提供セルおよびターゲットセルの両方がＮＲセルである。他の実施形態では、サービス提供セルはＬＴＥセルであり、ターゲットセルはＮＲセルである。
【００９０】
＜セル情報収集および報告のための例示的な実施形態の第３のセット＞
【００９１】
開示する技術の実施形態は、例示的な実施形態の第３のセットのうちの任意の１つを、例示的な実施形態の第１セットまたは第２セットのうちの任意の１つと組み合わせることができる。
【００９２】
サービングネットワークが、ターゲットセルのセル情報、ならびにサービス提供セルとターゲットセル（ＮＲセルである）との間のタイミング差を取得するようにＵＥに対して命令することを望む場合、サービングネットワークは、測定構成をＵＥに向けて送信する。この測定構成はターゲットセルのＰＣＩおよび周波数を含み、その測定目的は、ターゲットセルのセル情報を取得することをＵＥに対して通知するように設定される。さらに、ネットワークは、この測定構成において、サービス提供セルとターゲットセルとの間のタイミング差測定を可能にすることができる。
【００９３】
いくつかの実施形態では、このサービングネットワークがＬＴＥサイトまたはＮＲサイトである。ＬＴＥサイトの場合、ＵＥは非スタンドアロンモードで動作しており、ＬＴＥノードおよびＮＲノードの両方にデュアル接続されている。ＮＲサイトの場合、ＵＥは非スタンドアロンモードまたはスタンドアロンモードのいずれかで動作している。
【００９４】
いくつかの実施形態では、測定構成メッセージ内のターゲットセルの測定対象構成に関して、ネットワークはセルＢのＳＳＢリソースタイミング構成を通知してもしなくてもよい。１例では、ＳＳＢリソースタイミング構成は、ＳＳＢ測定タイミング構成（ＳＭＴＣ）を含む。
【００９５】
測定構成を受信すると、ＵＥは関連するタイマを開始し、示された周波数およびＰＣＩに基づいてターゲットセルを探索することを試みる。ＳＳＢリソースタイミング設定が受信されない場合、ＵＥは時間ドメイン内においてターゲットセルに対してブラインド検索を実行する。ターゲットセルと同期した後、ＵＥは、ターゲットセルのセル情報を取得しようと試みる。いくつかの実施形態では、セル情報はＣＧＩ、ＰＬＭＮ  ＩＤ、ＴＡＣなどを含む。さらに、ＵＥは、サービス提供セルとターゲットセルとの間のタイミング差を計算することができる。いくつかの実施例では、タイミング差は、ＳＦＮオフセット、フレーム境界オフセット、サービス提供セルとターゲットセルとの間のサブフレーム境界オフセット、を含むことができる。
【００９６】
ＵＥがターゲットセルのセル情報の取得に成功し、タイミング差測定結果の計算に成功した場合、ＵＥは、ターゲットセルのセル情報およびタイミング差測定結果の両方を含む測定レポートをネットワークに対して送信することができる。
【００９７】
ＵＥがターゲットセルのセル情報を取得することに成功したが、タイミング差測定結果の計算に失敗した場合、ＵＥはターゲットセルのセル情報のみを含む測定レポートを送信することができる。
【００９８】
ＵＥがターゲットセルのセル情報の取得に失敗したが、タイミング差測定結果の計算に成功した場合、ＵＥはタイミング差測定結果のみを含む測定レポートをネットワークに対して送信することができる。別の例では、ＵＥがセル情報もタイミング差測定結果も含まない測定レポートをネットワークに対して送信することができる。
【００９９】
ＵＥがターゲットセルのセル情報の取得に失敗し、タイミング差測定結果の計算に失敗した場合、ＵＥは、セル情報およびタイミング差測定結果を除外する測定レポートをネットワークに対して送信することができる。
【０１００】
前述のシナリオのそれぞれにおいて、いくつかの実施形態では、ＵＥは、ＵＥがターゲットセルのセル情報を正常に取得した直後に測定レポートを送信することができる。他の実施形態では、ＵＥは、障害が発生した直後に、または関連するタイマが満了した後に、測定レポートを送信することができる。
【０１０１】
この測定報告を受信した後、サービス提供セルとターゲットセルとの間の測定結果間のタイミング差が含まれる場合、ネットワークは、ＵＥから受信されたタイミング差結果に基づいてターゲットセルの周波数のＳＳＢ測定タイミング構成を調整することができる。さらに、ネットワークは、タイミング差の結果に基づいて、ターゲットセルＣの周波数のＣＳＩ−ＲＳリソース構成を調整することもできる。次いで、ネットワークは、ターゲットセルの周波数の調整された構成をサービス提供セル内のＵＥに対して送信することができる。
【０１０２】
ケース１。ＵＥはＮＲセルＡに接続され、ＮＲサービングネットワークは、ターゲットＮＲセルＢのセル情報と、ＮＲセルＡとセルＢとの間のタイミング差とを取得するように、ＵＥに対して指示する。セルＡネットワークは、測定目的がｒｅｐｏｒｔＣＧＩに設定された測定構成をＵＥに対して送信する。さらに、タイミング差測定を可能にするために、測定構成はセルＢの対応する周波数およびＰＣＩを通知する。ただしセルＢのＳＳＢリソースタイミング構成は測定構成に含まれない。
【０１０３】
ＵＥは測定構成を受信すると、タイマを開始し、受信したセルＢの周波数およびＰＣＩに基づいて、ターゲットセルＢのＳＳＢを探索しようと試みる。ＳＳＢリソースタイミング設定はＵＥによって受信されないので、ＵＥは時間ドメインでセルＢを検索する必要がある。ターゲットセルＢと同期した後、ターゲットセルＢのセル情報（例えば、ＣＧＩ、ＰＬＭＮ  ＩＤリスト、ＴＡＣなど）を取得することなく、ＵＥはターゲットセルＢのＳＦＮおよびフレーム情報を取得し、次いで、サービス提供セルＡとターゲットセルＢとの間のタイミング差を計算することができる。いくつかの実施形態では、タイミング差は、サービス提供セルとターゲットセルとの間のＳＦＮオフセット、フレーム境界オフセット、サブフレーム境界オフセットのうちの１つまたは複数を含むことができる。
【０１０４】
ＵＥがセル情報を取得し、タイミング差の結果を計算することに成功した後、ＵＥは、セルＢのセル情報およびセルＡとセルＢとの間のタイミング差の結果を含めることによって、測定報告メッセージをネットワークに対して直ちに送信することができる。
【０１０５】
この測定報告を受信した後、ネットワークは、ターゲットセルＢのセル情報、ならびにセルＡとセルＢとの間のタイミング差を認識する。したがって、ネットワークはターゲットセルＢのＳＳＢリソースタイミング構成を取得し、ＵＥから受信したタイミング差結果に基づいてターゲットセルＢの周波数のＳＳＢ測定タイミング構成を調整することができる。さらに、ネットワークはターゲットセルＣの周波数のＣＳＩ−ＲＳリソース構成を調整し、セルＢの周波数の調整された構成をセルＡ内のＵＥに対して送信することができる。
【０１０６】
ケース２。ＵＥはＬＴＥセルＡおよびＮＲセルＢの両方にデュアル接続され、ＬＴＥサービングネットワークは、ターゲットＮＲセルＣのセル情報およびＬＴＥセルＡとＮＲセルＣとの間のタイミング差を取得するようにＵＥに対して指示する。ＬＴＥセルＡネットワークは、測定目的がｒｅｐｏｒｔＣＧＩに設定された測定構成をＵＥに対して送信し、タイミング差測定を可能にするために、セルＣの対応する周波数およびＰＣＩを通知する。セルＣのＳＳＢリソースタイミング構成も含む。
【０１０７】
ＵＥは測定構成を受信すると、タイマを開始し、受信したセルＢの周波数およびＰＣＩに基づいて、ターゲットセルＣのＳＳＢの探索を試みる。ターゲットセルＣと同期した後、ターゲットセルＣのセル情報（例えば、ＣＧＩ、ＰＬＭＮ  ＩＤリスト、ＴＡＣなど）を取得せずに、ＵＥはターゲットセルＣのＳＦＮおよびフレーム情報を取得し、ターゲットセルＡとターゲットセルＣの間のタイミングの差を計算する。一部の実施形態では、タイミングの差異は、ＳＦＮオフセット、フレーム境界オフセット、サービス提供セルとターゲットセルとの間のサブフレーム境界オフセット、のうちの１つ以上を含む場合がある。
【０１０８】
しかしながら、この場合、ＵＥはセル情報の取得に失敗したが、タイマが満了する前にタイミング差分結果を計算することに成功したことになる。したがって、タイマが満了すると、ＵＥは測定報告メッセージをネットワークに対して送信し、測定報告メッセージは、ＬＴＥセルＡとＮＲセルＣとの間のタイミング差測定結果のみを含む。
【０１０９】
この測定報告を受信した後、ネットワークはターゲットセルＣのセル情報に依然として気付かないことがあるが、セルＡとセルＣとの間のタイミング差を受信することによって、ネットワークはＵＥから受信されたタイミング差結果に基づいてターゲットセルＣの周波数のＳＳＢ測定タイミング構成を調整することができる。さらに、ネットワークはターゲットセルＣの周波数のＣＳＩ−ＲＳリソース構成を調整し、セルＣの周波数の調整された構成をセルＡ内のＵＥに対して送信することができる。
【０１１０】
図６は、無線装置において実装することができる、セル情報取得および報告のための無線通信方法の１例を示す。方法６００は、ステップ６１０において、（ａ）ターゲットセルのセル情報、（ｂ）サービス提供セルとターゲットセルとの間のタイミング差情報、に対する要求を受信することを含む。
【０１１１】
方法６００は、ステップ６２０において、要求がターゲットセルの識別情報を含むかどうかを判定することを含む。いくつかの実施形態では、識別情報は、ＳＳＢ（同期信号／物理ブロードキャストチャネルブロック）測定タイミング構成（ＳＭＴＣ）情報を含む。１例では、ＳＭＴＣは、時間ドメイン期間、時間ドメインオフセット、時間ドメイン時間長、のうちの１つ以上を含むウィンドウ情報を含むことができる。
【０１１２】
図７は、ネットワークノードにおいて実装することができる、セル情報取得および報告のための無線通信方法の１例を示す。方法７００は、ステップ７１０において、サービス提供セルとターゲットセルとの間のタイミング差情報を受信することを含む。いくつかの実施形態では、タイミング差情報は、システムフレーム番号（ＳＦＮ）オフセット、フレーム境界オフセット、サービス提供セルとターゲットセルとの間のサブフレーム境界オフセット、のうちの１つまたは複数を含む。
【０１１３】
方法７００は、ステップ７２０において、タイミング差情報に基づいてタイミング構成情報を調整することを含む。一部の実施形態では、タイミング構成情報は、ＳＳＢ（同期信号／物理ブロードキャストチャネルブロック）計測タイミング構成（ＳＭＴＣ）情報に対応している。１例では、ＳＭＴＣ情報は、時間ドメイン期間、時間ドメインオフセット、時間ドメイン継続時間、のうち１つ以上を含むウィンドウ情報を含む。一部の実施形態において、タイミング構成情報は、ターゲットセルの周波数またはチャネル状態情報基準信号（ＣＳＩ−ＲＳ）を含むことができる。
【０１１４】
方法７００は、ステップ７３０において、上記調整後にタイミング構成情報を送信することを含む。
【０１１５】
図８は、本資料に記載された方法または技術（例えば、方法４００−７００）を実装できる装置のブロック図である。基地局または無線装置（またはＵＥ）などの装置８０５は、本文書で示される技術のうちの１つ以上を実装するマイクロプロセッサなどのプロセッサ電子部品８１０を含むことができる。装置８０５は、アンテナ８２０などの１つまたは複数の通信インターフェースを介して無線信号を送信および／または受信するためのトランシーバ電子機器８１５を含むことができる。装置８０５は、データを送受信するための他の通信インターフェースを含むことができる。装置８０５は、データおよび／または命令などの情報を記憶するように構成された１つまたは複数のメモリ（明示的には図示せず）を含むことができる。いくつかの実装形態では、プロセッサ電子部品８１０がトランシーバ電子部品８１５の少なくとも一部を含むことができる。いくつかの実施形態では、開示する技術、モジュール、または機能のうちの少なくともいくつかは装置８０５を使用して実装される。
【０１１６】
本明細書は図面と共に、例示的な手段である例示的なものに過ぎず、特に断らない限り、理想的または好ましい実施形態を示唆するものではないことが意図されている。本明細書で使用されるように、単数形「ａ」、「ａｎ」および「ｔｈｅ」は文脈が明確に反していることを示さない限り、複数形も同様に含むことが意図される。加えて、「ｏｒ」の使用は文脈が明確に反していることを示さない限り、「ａｎｄ／ｏｒ」を含むことが意図される。
【０１１７】
本明細書で説明される実施形態のいくつかは方法またはプロセスの一般的なコンテキストで説明され、方法またはプロセスは一実施形態ではネットワーク化された環境内のコンピュータによって実行される、プログラムコードなどのコンピュータ実行可能命令を含む、コンピュータ可読媒体で実施されるコンピュータプログラム製品によって実装され得る。コンピュータ読み取り可能媒体は読み取り専用メモリ、ランダムアクセスメモリ、コンパクトディスク、ディジタル多用途ディスクなどを含むが、これらに限定されない、取り外し可能および非取り外し可能記憶装置を含むことができる。したがって、コンピュータ可読媒体は、一時的でない記憶媒体を含むことができる。一般に、プログラムモジュールは、特定のタスクを実行するか、または特定の抽象データタイプを実装するルーチン、プログラム、オブジェクト、コンポーネント、データ構造などを含み得る。コンピュータまたはプロセッサ実行可能命令、関連データ構造、およびプログラムモジュールは、本明細書に開示する方法のステップを実行するためのプログラムコードの例を表す。そのような実行可能命令または関連するデータ構造の特定のシーケンスは、そのようなステップまたはプロセスで説明される機能を実装するための対応する動作の例を表す。
【０１１８】
開示された実施形態のいくつかは、ハードウェア回路、ソフトウェア、またはそれらの組み合わせを使用して、デバイスまたはモジュールとして実装され得る。ハードウェア回路実装は例えば、プリント回路基板の一部として集積される個別のアナログおよび／またはデジタル構成要素を含むことができる。代替的に、または追加的に、開示されたコンポーネントまたはモジュールは、特定用途向け集積回路（ＡＳＩＣ）および／またはフィールドプログラマブルゲートアレイ（ＦＰＧＡ）デバイスとして実装することができる。いくつかの実装形態は追加的にまたは代替的に、本出願の開示された機能に関連するデジタル信号処理の動作上の必要性のために最適化されたアーキテクチャを有する特殊化されたマイクロプロセッサであるデジタル信号プロセッサ（ＤＳＰ）を含むことができる。同様に、各モジュール内の様々なコンポーネントまたはサブコンポーネントは、ソフトウェア、ハードウェア、またはファームウェアで実現することができる。モジュール内のモジュールおよび／またはコンポーネント間の接続性はインターネット、有線、または適切なプロトコルを使用する無線ネットワークを介した通信を含むが、これらに限定されない、当技術分野で公知の接続方法および媒体のいずれか１つを使用して提供することができる。
【０１１９】
この文書は多くの詳細を含むが、これらは特許請求される発明の範囲または特許請求され得る発明の範囲に対する限定として解釈されるべきではなく、むしろ、特定の実施形態に特有の特徴の説明として解釈されるべきである。別個の実施形態の文脈で本文書に記載されている特定の特徴は、単一の実施形態においても組み合わせて実施することができる。逆に、単一の実施形態の文脈で説明される様々な特徴は複数の実施形態で別々に、または任意の適切なサブコンビネーションで実装することもできる。さらに、特徴は特定の組み合わせで動作するものとして上記で説明される場合があり、そのようなものとして最初に特許請求されてもよいが、特許請求される組み合わせからの１つまたは複数の特徴は場合によってはその組み合わせから削除されてもよく、特許請求される組み合わせは下位組み合わせまたは下位組み合わせの変形に向けられてもよい。同様に、動作は特定の順序で図面に示されているが、これは望ましい結果を達成するために、そのような動作が示された特定の順序で、または連続的な順序で実行されること、または示されたすべての動作が実行されることを必要とするものとして理解されるべきではない。
【０１２０】
少数の実装および例のみが説明されており、他の実装、拡張およびバリエーションは、本開示に記載され、図示されているものに基づいて行うことができる。
【図１】
2021513256.tif 000003
【図２】
2021513256.tif 000004
【図３】
2021513256.tif 000005
【図４】
2021513256.tif 000006
【図５】
2021513256.tif 000007
【図６】
2021513256.tif 000008
【図７】
2021513256.tif 000009
【図８】
2021513256.tif 000010
【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
無線装置において実装される無線通信のための方法であって、
前記無線装置によって、ターゲットセルに関連付けられたセル情報を取得するように要求するリクエストを受信するステップ；
前記ターゲットセルから第１同期ブロックを受信するステップ；
前記第１同期ブロックが前記ターゲットセルに関連する前記セル情報と関連付けられていないこと、および、前記第１同期ブロックが第２同期ブロックに関連する情報を含むこと、を決定するステップ；
前記セル情報を取得するように要求するリクエストに応答して、前記第２同期ブロックに関連する前記情報をサービス提供セルに対して送信するステップ；
を有する方法。
【請求項２】
前記第２同期ブロックに関連する前記情報は、前記第２同期ブロックの周波数情報を含む、
請求項１記載の方法。
【請求項３】
前記セル情報を取得するように要求する前記リクエストは、前記無線装置が接続する前記サービス提供セルから受信される、
請求項１記載の方法。
【請求項４】
前記サービス提供セルは第１Ｎｅｗ  Ｒａｄｉｏ（ＮＲ）セルであり、前記ターゲットセルは第２ＮＲセルである、
請求項１記載の方法。
【請求項５】
前記サービス提供セルはＬｏｎｇ  Ｔｅｒｍ  Ｅｖｏｌｕｔｉｏｎ（ＬＴＥ）セルであり、前記ターゲットセルはＮｅｗ  Ｒａｄｉｏ（ＮＲ）セルである、
請求項１記載の方法。
【請求項６】
前記第１同期ブロックと前記第２同期ブロックは、同期信号および物理ブロードキャストチャネル（ＰＢＣＨ）ブロックを含む、
請求項１記載の方法。
【請求項７】
無線通信方法であって、
無線装置に対するサービス提供セルによって、ターゲットセルに関連するセル情報を取得するように前記無線装置に対して指示するリクエストを送信するステップ；
前記サービス提供セルによって、前記無線装置から、前記セル情報を取得するように要求する前記リクエストに応答して、第１同期ブロックに関する情報であって、前記ターゲットセルの前記セル情報に関連していない第２同期ブロックを前記無線装置が受信したことを通知する情報を受信するステップ；
を有し、
前記第２同期ブロックは、前記第１同期ブロックに関する前記情報を含む、
方法。
【請求項８】
前記第１同期ブロックに関する前記情報は、前記第１同期ブロックの周波数情報を有する、
請求項７記載の方法。
【請求項９】
前記サービス提供セルは第１Ｎｅｗ  Ｒａｄｉｏ（ＮＲ）セルであり、前記ターゲットセルは第２ＮＲセルである、
請求項７記載の方法。
【請求項１０】
前記サービス提供セルはＬｏｎｇ  Ｔｅｒｍ  Ｅｖｏｌｕｔｉｏｎ（ＬＴＥ）セルであり、前記ターゲットセルはＮｅｗ  Ｒａｄｉｏ（ＮＲ）セルである、
請求項７記載の方法。
【請求項１１】
前記第１同期ブロックと前記第２同期ブロックは、同期信号および物理ブロードキャストチャネル（ＰＢＣＨ）ブロックを含む、
請求項７記載の方法。
【請求項１２】
請求項１から１１のいずれか１項記載の方法を実施するように構成されたプロセッサを備える無線通信装置。
【請求項１３】
コンピュータプログラムであって、
プロセッサによって実行されるとき、前記プロセッサに請求項１から１１のいずれか１項記載の方法を実行させる、
コンピュータプログラム。
【国際調査報告】
2021513256.tif 000011
2021513256.tif 000012
2021513256.tif 000013